(57)【要約】      （修正有）【課題】駆動装置の組み立てが容易な電気掃除機を提供する。【解決手段】電動送風機３０を内部に収納した駆動装置と、集塵装置とを備え、駆動装置は、集塵装置装着部と、吸引口と連通して塵埃を含む空気を集塵装置装着部に装着された集塵装置内に導く第１通風経路と、集塵装置からの空気を流通させる第２通風経路と、第２通風経路における気流方向の電動送風機３０よりも上流側に設けられたフィルターとを有し、第２通風経路は、フィルターと電動送風機３０の気流方向の上流側端部とを接続する上流側部材１７Ｂを含んで構成され、上流側部材１７Ｂは、フィルターを離脱可能に取り付けるフィルター取付部１７Ｂａと、電動送風機３０の上流側端部３０ａを嵌め入れる嵌入部１７Ｂｂとを有する一体成形された１つの部品で構成することで、駆動装置の部品点数および組み立て工数を低減することができる。【選択図】図７
2020005756.tif 000002
【特許請求の範囲】
【請求項１】
電動送風機を内部に収納した駆動装置と、塵埃を含む空気から前記塵埃を分離可能な集塵装置とを備え、
前記駆動装置は、前記集塵装置を着脱可能に装着する集塵装置装着部と、塵埃を含む空気を内部に取り込む吸引口と、前記吸引口と連通して塵埃を含む空気を前記集塵装置装着部に装着された前記集塵装置内に導く第１通風経路と、前記集塵装置装着部に装着された前記集塵装置からの塵埃が分離された空気を流通させる第２通風経路と、前記第２通風経路における気流方向の前記電動送風機よりも上流側に設けられたフィルターと、前記第２通風経路内を流通する塵埃が除去された空気を外部に排出する排気口とを備え、
前記電動送風機は、前記第２通風経路内に配置されており、
前記第２通風経路は、前記フィルターと前記電動送風機の気流方向の上流側端部とを接続する上流側部材を含んで構成されており、
前記上流側部材は、前記フィルターを離脱可能に取り付けるフィルター取付部と、前記フィルター取付部と一体形成されて前記電動送風機の前記上流側端部を嵌め入れる嵌入部とを有することを特徴とする電気掃除機。
【請求項２】
前記第２通風経路は、前記電動送風機を収納する下流側部材をさらに含んで構成されており、
前記下流側部材は、前記電動送風機を収納しかつ前記電動送風機から流出する気流を流通させる通気窓を有するケース部と、前記ケース部の内面側に設けられた通気性を有する防音シート部とを有する請求項１に記載の電気掃除機。
【請求項３】
前記防音シートは、可撓性を有しかつ長手方向の一端部と他端部を突き合わせるようにして筒状に巻かれて前記ケース部内に収納され、
前記ケース部は、筒状に巻かれた前記防音シートの前記一端部と前記他端部とを挟み込むリブを内面側に有する請求項２に記載の電気掃除機。
【請求項４】
前記駆動装置は、前記電動送風機と電気的に接続される回路基板をさらに備え、
前記下流側部材の前記ケース部は、前記電動送風機を収納しかつ複数の前記通気窓を有する枠形円筒部と、前記回路基板を収納するよう前記枠形円筒部と一体形成された基板収納部とを有し、
前記基板収納部に通気孔が設けられている請求項２または３に記載の電気掃除機。
【請求項５】
前記駆動装置は床面上を前進可能に構成され、
前記嵌入部は、平面的に視て、前記駆動装置が前進する方向に対して前記電動送風機の回転軸心が斜め方向となるよう前記上流側端部を嵌め入れるように構成された請求項１〜４のいずれか１つに記載の電気掃除機。
【発明の詳細な説明】
【技術分野】
【０００１】
本発明は、電気掃除機に関する。
【背景技術】
【０００２】
従来の電気掃除機として、例えば、特許文献１には次の構成を備えたサイクロン式電気掃除機が提案されている。
このサイクロン式電気掃除機は、電動送風機およびフィルターを収納した駆動装置と、駆動装置に離脱可能に装着されるサイクロン式の集塵装置とを備える。
【０００３】
駆動装置は、集塵装置を離脱可能に装着する集塵装置装着部と、塵埃を含む空気を内部に取り込む吸引口と、吸引口と連通して塵埃を含む空気を集塵装置内に導入する集塵装置装着部に設けられた第１通風口と、集塵装置からの塵埃が分離された空気が導入される集塵装置装着部に設けられた第２通風口と、第２通風口と連通する排気口と、駆動装置の内部における第２通風口の近傍に着脱可能に設けられたフィルターとを備える。
【０００４】
集塵装置は、空気中の第１の塵埃を分離する第１の筒状遠心分離部と、第１の筒状遠心分離部と連通しかつ第１の筒状遠心分離部を通過した空気中の第１の塵埃よりも小さい第２の塵埃を分離する第２の筒状遠心分離部と、第１および第２の塵埃を集塵する集塵容器とを備えたマルチサイクロン方式の集塵装置である。
また、集塵装置において、集塵容器には駆動装置の第１通風口と接続可能な流入口が設けられると共に、第２の筒状遠心分離部には駆動装置の第２通風口と接続可能な流出口が設けられている。
このようなマルチサイクロン方式の電気掃除機では、第２通風口の近傍に設けられたフィルターによって集塵装置にて捕捉しきれなかった微細な塵埃を捕捉するようにしている。
【先行技術文献】
【特許文献】
【０００５】
【特許文献１】特開２０１６−０４３１４１号公報
【発明の概要】
【発明が解決しようとする課題】
【０００６】
前記のようなマルチサイクロン方式の電気掃除機では、駆動装置の内部にフィルターと電動送風機とを連通させる通風経路を形成する場合、フィルターを取り付ける取付部、電動送風機を固定する固定部、取付部と固定部との間および固定部と電動送風機との間にそれぞれ設けられるシール部等の複数の部品が備えられていた。
そのため、駆動装置の部品点数および組み立て工数が増加する。
【０００７】
本発明は、このような課題に鑑みなされたものであり、駆動装置の組み立てが容易な電気掃除機を提供することを目的とする。
【課題を解決するための手段】
【０００８】
本発明によれば、電動送風機を内部に収納した駆動装置と、塵埃を含む空気から前記塵埃を分離可能な集塵装置とを備え、
前記駆動装置は、前記集塵装置を着脱可能に装着する集塵装置装着部と、塵埃を含む空気を内部に取り込む吸引口と、前記吸引口と連通して塵埃を含む空気を前記集塵装置装着部に装着された前記集塵装置内に導く第１通風経路と、前記集塵装置装着部に装着された前記集塵装置からの塵埃が分離された空気を流通させる第２通風経路と、前記第２通風経路における気流方向の前記電動送風機よりも上流側に設けられたフィルターと、前記第２通風経路内を流通する塵埃が除去された空気を外部に排出する排気口とを備え、
前記電動送風機は、前記第２通風経路内に配置されており、
前記第２通風経路は、前記フィルターと前記電動送風機の気流方向の上流側端部とを接続する上流側部材を含んで構成されており、
前記上流側部材は、前記フィルターを離脱可能に取り付けるフィルター取付部と、前記フィルター取付部と一体形成されて前記電動送風機の前記上流側端部を嵌め入れる嵌入部とを有する電気掃除機が提供される。
【発明の効果】
【０００９】
本発明の電気掃除機は、フィルターと電動送風機とを連通させる第２通風経路の上流側部材が一体成形された１つの部品で構成されているため、駆動装置の部品点数および組み立て工数を低減することができる。
【図面の簡単な説明】
【００１０】
【図１】本発明の実施形態１の集塵装置が駆動装置に装着された掃除機本体を示す斜視図である。
【図２】図１の掃除機本体の内部構造を示す断面図である。
【図３】図１の掃除機本体の駆動装置から集塵装置を取り外した状態を示す斜視図である。
【図４】図３の駆動装置を上方から視た斜視図である。
【図５】図３の駆動装置から取り外したフィルターの分解図である。
【図６】実施形態１における駆動装置の内部に設けられた第１および第２通風経路の構成部分を示す平面図である。
【図７】図６の第１および第２通風経路の構成部分の分解図である。
【図８】図７の分解された第２通風経路の構成部分における上流側部材を示す斜視図である。
【図９】図７の分解された第２通風経路の構成部分における下流側部材を示す斜視図である。
【発明を実施するための形態】
【００１１】
（実施形態１）
図１は本発明の実施形態１の集塵装置が駆動装置に装着された掃除機本体を示す斜視図であり、図２は図１の掃除機本体の内部構造を示す断面図である。また、図３は図１の掃除機本体の駆動装置から集塵装置を取り外した状態を示す斜視図であり、図４は図３の駆動装置を上方から視た斜視図であり、図５は図３の駆動装置から取り外したフィルターの分解図である。なお、図１と図３において、矢印Ｘ方向は前後方向を示し、矢印Ｙ方向は左右方向を示し、矢印Ｚ方向は上下方向を示している。
【００１２】
図１〜図５に示すように、本発明の実施形態１の集塵装置２０はキャニスター型の駆動装置１０に着脱可能に装着され、これにより電気掃除機の掃除機本体１が構成される。なお、掃除機本体１の駆動装置１０には、図示しないハンドルおよび操作部を有する可撓性ホース、延長パイプおよび吸込口体が接続される。
【００１３】
＜駆動装置の構成＞
掃除機本体１において、駆動装置１０は、集塵装置２０を横倒し状態で上下方向に着脱させる上方開口凹形の集塵装置装着部１２を有する筐体１１と、筐体１１の内部に設けられた電動送風機３０と、筐体１１に回転可能に設けられた左右一対の車輪１３および前輪１４とを備え、床面上を前進（移動）可能に構成されている。
【００１４】
筐体１１は、平面的に視て長円形の上端縁を有し、その上端縁の前部が平面視Ｕ形のハンドル部１１ａとなっている。また、筐体１１内の右側後部には、電動送風機３０に外部電源からの電力を供給する電源コード（不図示）を筐体１１内に巻き取るコードリール４０が設けられると共に、筐体１１の集塵装置装着部１２の後部にはコードリール４０から引き出した電源コードをコードリール４０を作動させて巻き取らせる巻き取り開始ボタン１５が設けられている。
【００１５】
また、筐体１１は、図示しない可撓性ホースの基端部と接続可能な吸引口１１ｂをハンドル部１１ａの下方かつ集塵装置装着部１２の前方に有し、集塵装置２０の空気流入口２１ａ2と接続可能な第１通風口１１ｃを集塵装置装着部１２の底部左後方に有し、集塵装置２０の空気排出口２２Ｄａ12と接続可能な第２空気導入口１１ｄ（図９参照）を集塵装置装着部１２の底部前部に有し、後壁部１１ｅに排気口１１ｅ1を有している。
また、第１通風口１１ｃにはパッキンが設けられると共に、第２通風口１１ｄにはフィルター５０が着脱可能に装着される。
さらに、筐体１１の後壁部１１ｅにおける排気口１１ｅ1の周囲３箇所には駆動装置１０を直立可能とする突起状の脚部１１ｆが設けられている。
【００１６】
駆動装置１０の内部において、吸引口１１ｂと第１通風口１１ｃとの間が空気の第１通風経路１７ａとなっており、第２通風口１１ｄと電動送風機３０との間が上流側第２通風経路１７ｂとなっており、電動送風機３０と後壁部１１ｅの排気口１１ｅ1との間が下流側第２通風経路１７ｃとなっている。なお、電動送風機３０は、集塵装置装着部１２の前後方向中間位置の下部（第１通風口１１ｃの横）に配置されると共に、下流側第２通風経路１７ｃは電動送風機３０からコードリール４０の左右両側に回り込んで排気口１１ｅ1に達している。
【００１７】
また、図３と図４に示すように、集塵装置装着部１２において、第２通風口１１ｄ（図９）に取り付けられた後述のフィルター５０の左右両側には、集塵装置２０の一対のロック爪２２Ｄｂ2が係脱可能に係止する一対の係合凹部１１ｇが設けられている。
【００１８】
また、吸引口１１ｂには図示しない可撓性ホースの基端部に設けられた電気配線部の凹形端子と電気的に接続可能な凸形端子１１ｂ1が設けられ、凸形端子１１ｂ1はリード線を介して回路基板（不図示）と電気的に接続されている。なお、回路基板は、筐体１１内のコードリール４０の近傍に設けられ、電動送風機３０および電源コード（不図示）とリード線等を介して電気的に接続されている。
【００１９】
また、図５に示すように、フィルター５０は、メインフィルター本体５１と、フィルター本体５１に着脱可能に装着されるサブフィルター本体５２と、サブフィルター本体５２を装着したメインフィルター本体５１の吸気側部分を着脱可能に覆いかつ第２通風口１１ｄに着脱可能に装着されるフィルターケース５３とを備える。なお、フィルターケース５３は、サブフィルター本体５２を装着していないメインフィルター本体５１の吸気側部分を着脱可能に覆うことも可能である。
【００２０】
メインフィルター本体５１は、平面視矩形のプリーツ状フィルター部５１ａと、フィルター部５１ａの外周部に一体状に設けられた矩形の外周枠部５１ｂと、外周枠部５１ｂの外周面に設けられたシール部５１ｃとを有する。
サブフィルター本体５２は、発泡樹脂、不織布といった材質の多孔質プレートからなり、メインフィルター本体５１の吸気側における外周枠部５１ｂ内にほぼ隙間無く収納されるサイズに形成されている。
【００２１】
フィルターケース５３は、サブフィルター本体５２を外部に露出させる窓部５３ａ1を有する上壁部５３ａと、上壁部５３ａの周囲に垂設された外周壁部５３ｂと、上壁部５３ａと外周壁部５３ｂとで囲まれてメインフィルター本体５１およびサブフィルター本体５２を収納する収納スペースを備える。なお、フィルターケース５３は、第２通風口１１ｄに装着されることにより、集塵装置装着部１２に装着された集塵装置２０の後述の遠心分離ユニット２２を支持する台としても機能する。
【００２２】
フィルターケース５３において、窓部５３ａ1の周囲にはパッキン５３ａ2が設けられると共に、窓部５３ａ1は前端部側に配置されている。また、サブフィルター本体５２とメインフィルター本体５１とがこの順にフィルターケース５３の収納スペース内に収納された状態では、上壁部５３ａとサブフィルター本体５２との間に隙間が設けられている。そのため、窓部５３ａ1から流入した空気はサブフィルター本体５２およびメインフィルター本体５１の窓部５３ａ1に面していない部分も通過可能となる。
【００２３】
また、外周壁部５３ｂの一部には、駆動装置１０の第２通風口１１ｄに取り付けたフィルターケース５３を解除可能にロックするロック爪５３ｆ1およびロック解除レバー５３ｆ2が設けられている。
一方、駆動装置１０における第２通風口１１ｄの近傍位置にはロック爪５３ｆ1を係脱可能に係止する図示しない係止凹部が設けられている。
第２通風口１１ｄにフィルターケース５３を嵌め込むことにより、ロック爪５３ｆ1が係止凹部（不図示）に係止してロックされ、ロック解除レバー５３ｆ2を押さえることによりロック爪５３ｆ1が係止凹部（不図示）から離脱するためそのままフィルターケース５３を持ち上げて第２通風口１１ｄから取り外すことができる。
【００２４】
［第１通風経路および第２通風経路］
図６は実施形態１における駆動装置の内部に設けられた第１および第２通風経路の構成部分を示す平面図であり、図７は図６の第１および第２通風経路の構成部分の分解図である。また、図８は図７の分解された第２通風経路の構成部分における上流側部材を示す斜視図であり、図９は図７の分解された第２通風経路の構成部分における下流側部材を示す斜視図である。なお、図６において、矢印Ｘ方向は前後方向を示し、矢印Ｙ方向は左右方向を示し、矢印Ｚ方向は上下方向を示している。
【００２５】
図１〜図７に示すように、駆動装置１０の筐体１１内には第１通風経路１７ａを構成する第１部材１７Ａと、上流側第２通風経路１７ｂを構成する上流側第２部材１７Ｂと、下流側第２通風経路１７ｃの一部を構成する下流側第２部材１７Ｃとが設けられている。なお、下流側第２通風経路１７ｃにおける下流側第２部材１７Ｃよりも下流側は、コードリール４０が配置されかつ排気口１１ｅ1と連通した筐体１１の内部空間にて構成されている。
【００２６】
図６と図７に示すように、第１部材１７Ａは、気流方向の下流側に設けられた前記第１通風口１１ｃと、気流方向の上流側に設けられて筐体１１の吸引口１１ｂに気密に接続される接続口１７Ａａとを有する捻られた形の筒部材であり、第１通風口１１ｃの周囲にはパッキン１１ｃ1が取り付けられている。実施形態１の第１部材１７Ａの場合、接続口１７Ａａが前方へ開口するよう上流側第２部材１７Ｂの前方に配置され、かつ通風口１１ｃが上方へ開口するよう上流側第２部材１７Ｂの後部左側に配置された状態で捻られた形に形成されている。
【００２７】
図６〜図８に示すように、上流側第２部材１７Ｂは、フィルター５０と電動送風機３０の気流方向の上流側端部３０ａとを接続する上流側第２通風経路１７ｂの構成部材であり、フィルター５０を離脱可能に取り付けるフィルター取付部１７Ｂａと、フィルター取付部１７Ｂａと一体形成されて電動送風機３０の上流側端部３０ａを嵌め入れる嵌入部１７Ｂｂとを有する。
【００２８】
フィルター取付部１７Ｂａは、フィルター５０のフィルターケース５３が嵌り込む形状およびサイズに形成された受け皿形の部分であり、その底部には格子部１７Ｂａ1が設けられると共に、開口部は前記第２通風口１１ｄとされている。また、フィルター取付部１７Ｂａは、格子部１７Ｂａ1付近の内周面に段部１７Ｂａ2を有しており、フィルター取付部１７Ｂａに嵌め込まれたフィルター５０のフィルターケース５３のシール部５１ｃが段部１７Ｂａ2に載って密着する。
【００２９】
嵌入部１７Ｂｂは、電動送風機３０の円盤形の上流側端部３０ａを挿入する大径の挿入口１７Ｂｂ11を有する円筒形部１７Ｂｂ1と、円筒形部１７Ｂｂ1の挿入口１７Ｂｂ11とは反対側に設けられた小径の連通孔１７Ｂｂ12と、円筒形部１７Ｂｂ1の内周面と連通孔１７Ｂｂ12との間に設けられた段部１７Ｂｂ13と、円筒形部１７Ｂｂ1の外周面における挿入口１７Ｂｂ11側に周方向等間隔で設けられた複数（この場合、４個）の係止凸部１７Ｂｂ14とを備える。電動送風機３０の上流側端部３０ａを嵌入部１７Ｂｂ内に嵌め入れることにより、電動送風機３０の上流側端部３０ａに設けられたパッキン３０ａ1が段部１７Ｂｂ13に突き当たって密着する。
【００３０】
また、図６に示すように、上流側第２部材１７Ｂにおいて、平面的に視て、駆動装置１０が前進する方向（矢印Ｘ方向）に対して電動送風機３０の回転軸心Ｐが斜め方向となるように上流側端部３０ａを嵌入部１７Ｂｂに嵌め入れることができるように、フィルター取付部１７Ｂａと嵌入部１７Ｂｂとの間にこれらを連通接続する接続部１７Ｂｃが一体形成されている（図７、図８参照）。フィルター取付部１７Ｂａに対して嵌入部１７Ｂｂを斜めに配置することにより、上流側第２部材１７Ｂの横（この場合、左横）に第１部材１７Ａを沿わせるように配置しても、第１部材１７Ａによる外観上の出っ張りを筐体１１に形成する必要がなくなり、駆動装置１０の外観の見栄えをよくすることができる。なお、実施形態１ではフィルター取付部１７Ｂａの下に第１部材１７Ａの吸気側（接続口１７Ａａ側）の部分が配置されるため、接続部１７Ｂｃは第１部材１７Ａに干渉しない形状に形成されている。
【００３１】
図６、図７および図９に示すように、下流側第２部材１７Ｃは、電動送風機３０を収納しかつ電動送風機３０から流出する気流を流通させる通気窓１７Ｃａ111を有するケース部１７Ｃａと、ケース部１７Ｃａの内面側に設けられた通気性を有する防音シート部１７Ｃｂとを有する。
ケース部１７Ｃａは、ケース本体１７Ｃａ1と、ケース本体１７Ｃａ1に取り付けられるカバー部材１７Ｃａ2とを備える。
【００３２】
ケース本体１７Ｃａ1は、電動送風機３０を収納しかつ複数の前記通気窓１７Ｃａ111を有する枠形円筒部１７Ｃａ11と、回路基板９０を収納するよう枠形円筒部１７Ｃａ11と一体形成された基板収納部１７Ｃａ12とを有する。なお、回路基板９０は、電動送風機３０と図示しないリード線を介して電気的に接続される。
【００３３】
枠形円筒部１７Ｃａ11は、筒状に巻かれた防音シート１７Ｃｂの一端部１７Ｃｂ1と他端部１７Ｃｂ2とを挟み込む大型リブ１７Ｃａ112および防音シート１７Ｃｂの一方の長辺部分を挟み込む複数の小型リブ１７Ｃａ113を内面側に有すると共に、上流側第２部材１７Ｂの嵌入部１７Ｂｂの複数の係止凸部１７Ｂｂ14と係止可能な孔を有する複数の係止片１７Ｃａ114を外面における吸気側の開口端縁に有している。
【００３４】
大型リブ１７Ｃａ112は、枠形円筒部１７Ｃａ11の内面から中心方向に突出した突片部１７Ｃａ1121およびその突片部１７Ｃａ1121から円周方向に延びた押え片部１７Ｃａ1122を有し、前方から視てＴ形の断面形状に形成されている。
小型リブ１７Ｃａ113は、枠形円筒部１７Ｃａ11の内面から中心方向に突出しかつ前方へ折れ曲がったＬ形に形成されている。
【００３５】
基板収納部１７Ｃａ12は、枠形円筒部１７Ｃａ11の底部となる矩形壁部１７Ｃａ121と、矩形壁部１７Ｃａ121の外周部に設けられた外周壁部１７Ｃａ122とを有している。
矩形壁部１７Ｃａ121は、枠形円筒部１７Ｃａ11の底部を構成しかつ枠形円筒部１７Ｃａ11よりも左側へ突出したサイズで形成されており、多数の通気孔１７Ｃａ1211を有している。なお、前記のように上流側第２部材１７Ｂのフィルター取付部１７Ｂａに対して嵌入部１７Ｂｂを斜めに配置しているため、矩形壁部１７Ｃａ121が左側へ突出したサイズで形成されても筐体１１に外観上の出っ張りを形成する必要はない。
【００３６】
また、矩形壁部１７Ｃａ121は、枠形円筒部１７Ｃａ11の底部となる部分の中心位置に電動送風機３０のモータ部３０ｂの端部を嵌め入れる円形凹部１７Ｃａ1212を有すると共に、モータ部３０ｂの端部を支持する図示しない防振ゴムを収納するための矩形凹部１７Ｃａ1213を円形凹部１７Ｃａ1212内に有している。なお、矩形凹部１７Ｃａ1213には略矩形の窓部１７Ｃａ1214が設けられている。
【００３７】
カバー部材１７Ｃａ2は、ケース本体１７Ｃａ1の基板収納部１７Ｃａ12の外周壁部１７Ｃａ122と嵌合する外周壁部１７Ｃａ21と、外周壁部１７Ｃａ21の後端側に設けられた後壁部１７Ｃａ22とを有し、後壁部１７Ｃａ22の左右両側に通気口１７Ｃａ221が設けられている。なお、カバー部材１７Ｃａ2とケース本体１７Ｃａ1の基板収納部１７Ｃａ12とは、上流側第２部材１７Ｂとケース本体１７Ｃａ1とが着脱可能に連結する係脱機構（係止凸部１７Ｂｂ14および係止片１７Ｃａ114）と同様の機構によって着脱可能に連結する。
【００３８】
防音シート部１７Ｃｂは、例えば、通気性および可撓性を有する発泡樹脂シートまたは樹脂繊維製不織布等からなり、ケース本体１７Ｃａ1の枠形円筒部１７Ｃａ11の内側の奥行き寸法と同等の幅寸法および枠形円筒部１７Ｃａ11の内側の円周と同等の長さ寸法を有する矩形のシートである。
【００３９】
防音シート部１７Ｃｂは、長手方向の一端部１７Ｃｂ1と他端部１７Ｃｂ2とを突き合わせるようにして筒状に巻かれてケース部１７Ｃａの枠形円筒部１７Ｃａ11内に収納される。このとき、防音シート部１７Ｃｂの一端部１７Ｃｂ1と他端部１７Ｃｂ2とが大型リブ１７Ｃａ112の突片部１７Ｃａ1121に突き当てられかつ押え片部１７Ｃａ1122にてぶらつかないよう押さえられる。また、防音シート部１７Ｃｂの一方の長辺部が複数の小型リブ１７Ｃａ113によってぶらつかないよう押さえられる。
【００４０】
このように、枠形円筒部１７Ｃａ11の内周面に沿って防音シート部１７Ｃｂを位置決め固定することにより、防音シート部１７Ｃｂを枠形円筒部１７Ｃａ11の通気性を有する外周壁として機能させることができる。つまり、電動送風機３０の外周部から径方向に向かって噴出する気流を電動送風機３０の外周側に配置された防音シート部１７Ｃｂに通すことができるため、電動送風機３０の排気の流れがスムーズとなる。また、防音シート部１７Ｃｂを通過した気流の一部を基板収納部１７Ｃａ12内に通して回路基板９０を効率よく冷却することができる。なお、回路基板９０を冷却した気流はカバー部材１７Ｃａ2の通気口１７Ｃａ221を通過してコードリール４０の方へ流れる（図２）。
【００４１】
＜集塵装置の構成＞
図１〜図３に示すように、集塵装置２０は、ダストカップ２１と、ダストカップ２１に離脱可能に装着されるダスト分離部としての遠心分離ユニット２２とを備える。
【００４２】
［ダストカップ］
ダストカップ２１は、円筒形の胴部２１ａと、胴部２１ａの下端開口部にヒンジ部２１ｂ1を介して開閉可能に設けられた底部２１ｂとを有し、胴部２１ａの上端開口部が遠心分離ユニット２２を着脱可能に装着する装着口となっている。
また、ダストカップ２１において、胴部２１ａには外周面との接線方向上に開口する前記空気流入口２１ａ2が設けられると共に、胴部２１ａの下端開口部および底部２１ｂの外周部には底部２１ｂの閉状態を解除可能にロックするロック部２１ｃが設けられている。
【００４３】
遠心分離ユニット２２が装着されたダストカップ２１の内部において、遠心分離ユニット２２の後述する第１遠心分離部２２Ａの内筒部２２Ａａの周囲スペースは比較的大きな第１の塵埃が捕集される。
【００４４】
［遠心分離ユニット］
図２に示すように、遠心分離ユニット２２は、空気中の第１の塵埃を分離する筒形の第１遠心分離部２２Ａと、第１遠心分離部２２Ａの周囲に配置されて第１遠心分離部２２Ａを通過した空気中の第１の塵埃よりも小さい第２の塵埃を分離する複数の遠心分離筒２２Ｂａを含む第２遠心分離部２２Ｂとを有する。
【００４５】
実施形態１の場合、遠心分離ユニット２２は、第１遠心分離部２２Ａの後述するカップ部２２Ａｂに対して回動可能なように第２遠心分離部２２Ｂとカップ部２２Ａｂとの間に設けられたワイパー部２２Ｃと、ワイパー部２２Ｃを回動させるよう第２遠心分離部２２Ｂを覆う回動部２２Ｄとをさらに有している。
【００４６】
第１遠心分離部２２Ａは、ダストカップ２１の内部と第２遠心分離部２２Ｂとを連通させる内筒部２２Ａａと、内筒部２２Ａａを挿通させる挿通孔および第２遠心分離部２２Ｂを嵌め込む嵌合口を有する前記カップ部２２Ａｂとを有する。
内筒部２２Ａａは、圧縮スクリュー部２２Ａａ2と、外周壁にメッシュ部材２２Ａａ111が巻き付けられてなる円筒状の筒枠部とを有する。
第２遠心分離部２２Ｂは、複数（この場合１０個）の二重筒形の遠心分離筒２２Ｂａが同一円上に配置され一体化されてなる。
【００４７】
この遠心分離ユニット２２は、ハンドル形の回動部２２Ｄを所定方向（この場合、時計回り）に回転させることにより、第２遠心分離部２２Ｂ、ワイパー部２２Ｃおよび内筒部２２Ａａが回転し、回転するワイパー部２２Ｃにてカップ部２２Ａｂ内の塵埃をダストカップ２１内に落下させると共に、回転する圧縮スクリュー部２２Ａａ2にてダストカップ２１内の塵埃を圧縮するように構成されている。
【００４８】
＜掃除機本体の動作およびメンテナンスについて＞
図１に示すように、本発明の電気掃除機の掃除機本体１は、清掃時には、図示しないハンドルおよび操作部を有する可撓性ホース、延長パイプおよび吸込口体が接続される。
操作部にて電源をＯＮにすると、電動送風機３０が駆動し、被清掃面上の塵埃を空気と共に吸い込んで清掃する。吸込口体に吸い込まれた塵埃を含む空気は、延長パイプおよび可撓性ホースを介して掃除機本体１内に吸引される。
【００４９】
以下、図１〜図９を参照しながら掃除機本体１内における空気の流れを説明する。なお、空気の流れは、図２中の矢印Ｆ1〜Ｆ10の順となっている。
塵埃を含む空気は、まず、駆動装置１０の吸引口１１ｂに流入し（矢印Ｆ1）、吸引口１１ｂと第１通風口１１ｃの間の第１通風経路１７ａ（第１部材１７Ａの内部）を通り（矢印Ｆ2）、集塵装置２０のダストカップ２１の空気流入口２１ａ2に流入する（矢印Ｆ3）。
【００５０】
ダストカップ２１内に流入した塵埃を含む空気は、ダストカップ２１内を旋回し、この間に比較的大きな第１の塵埃は遠心力によりダストカップ２１の内周面側を旋回し、微細な塵埃を含む空気はメッシュ部材２２Ａａ111へ向かう（矢印Ｆ4）。これにより、比較的大きな第１の塵埃はダストカップ２１内に溜まる。
【００５１】
メッシュ部２２Ａａ111を通過した第１の塵埃よりも微細な第２の塵埃を含む空気は、第１遠心分離部２２Ａ内に流入し（矢印Ｆ5）、第２遠心分離部２２Ｂの複数の遠心分離筒２２Ｂａの内部へ流入して内周面に沿って旋回する。
【００５２】
第２の塵埃を含む空気が遠心分離筒２２Ｂａの内周面に沿って旋回ことにより、第２の塵埃は遠心分離されて遠心分離ユニット２２内に溜まる。一方、第２の塵埃が除去された空気は、複数の遠心分離筒２２Ｂａの内部（矢印Ｆ6）を通って回動部２２Ｄの空気排出口２２Ｄａ12から駆動装置１０のフィルター５０を通過して第２通風口１１ｄ内に流入する（矢印Ｆ7）。このとき、複数の遠心分離筒２２Ｂａにて捕捉されなかった第２の塵埃よりも微細な塵埃がフィルター５０にて捕捉される。
【００５３】
駆動装置１０内に流入した清浄化された空気は、第２通風口１１ｄと電動送風機３０との間の上流側第２通風経路１７ｂ（上流側第２部材１７Ｂの内部）を通って電動送風機３０内に流入し、電動送風機３０の外周部から流出した空気は下流側第２通風経路１７ｃを通過する。この際、空気は、基板収納部１７Ｃａ12内に直接流入して回路基板９０を冷却する、あるいは防音シート部１７Ｃｂを通過した後に基板収納部１７Ｃａ12内に流入して回路基板９０を冷却する、あるいは防音シート部１７Ｃｂを通過した後にコードリール４０の方へ流れる（矢印Ｆ8）。
【００５４】
基板収納部１７Ｃａ12内に流入した空気はカバー部材１７Ｃａ2内から流出してコードリール４０の方へ流れる空気と合流し、コードリール４０の周囲を回り込み（矢印Ｆ9）、排気口１１ｅ1から外部に排出される（矢印Ｆ10）。
【００５５】
次に、清掃後の掃除機本体１のメンテナンスについて説明する。
集塵装置２０のメッシュ部材２２Ａａ111の除塵およびダストカップ２１内に溜まった第１の塵埃の圧縮は、回動部２２ＤのハンドルＤｃ1を所定方向に回すことにより同時に行われる。この際、除塵および圧縮は、集塵装置２０を駆動装置１０に装着したままの状態でも行うことができるが、適切な除塵および圧縮は、集塵装置２０を駆動装置１０から取り外し、集塵装置２０を立てた状態で行うことが望ましい。
【００５６】
駆動装置１０に装着された集塵装置２０を取り外す際は、集塵装置２０のハンドル２２Ｄｃ1を手で掴んで引っ張ることにより、駆動装置１０の一対の係合凹部１１ｇに係合した集塵装置２０の一対のロック爪２２Ｄｂ2が揺動して各係合凹部１１ｇから離脱するため、使用者はハンドル２２Ｄｃ1を引き上げる１ステップの動作で集塵装置２０を取り外すことができる。ハンドル２２Ｄｃ1は、そのハンドル本体２２Ｄｃ11を手で掴みやすいように円筒形状の直径が下方に向かうにつれて小さくなっている。
【００５７】
駆動装置１０から取り外した集塵装置２０を、床面などの安定した面上に立てた状態で載置し、ハンドル２２Ｄｃ1に示された矢印の方向（時計回り方向）にハンドル２２Ｄｃ1を回す。これにより、ハンドル２２Ｄｃ1と連結した第２遠心分離部２２Ｂが回転する。
第２遠心分離部２２Ｂが回転することにより、第１遠心分離部２２Ａの内筒部２２Ａａの圧縮スクリュー部２２Ａａ2が回転し、ダストカップ２１内の底に溜まった第１の塵埃が圧縮される。
【００５８】
ダストカップ２１内の第１の塵埃を廃棄する際は、ロック部２１ｃのロック解除ボタン２１を押すことにより底部２１ｂが開き、ダストカップ２１内の第１の塵埃が落下して廃棄される。このとき、内筒部２２Ａａが下がるため、カップ部２２Ａｂ内に溜まった第２の塵埃も内筒部２２Ａａ内を通って廃棄される。
また、集塵装置２０は、ダストカップ２１、第１遠心分離部２２Ａ、第２遠心分離部２２ｂおよび回動部２２ｄに分解できるため、これらをそれぞれ水洗いすることができる。
また、定期的にフィルター５０を取り外して水洗いすることが推奨される。
集塵装置２０およびフィルター５０の洗浄後、電気掃除機の使用前にはこれらを組み立てて駆動装置１０に取り付ける。
【００５９】
（実施形態２）
実施形態１では集塵装置２０を横に倒して駆動装置１０に装着する場合を例示したが、集塵装置２０を立てた状態で駆動装置１０に装着するようにしてもよい。この場合、図６に示した上流側第２部材１７Ｂが上方に配置され、かつ下流側第２部材１７Ｃが下方に配置され、電動送風機３０の上方から空気が流入するように構成される。また、第１部材１７Ａにおいて、第１通風口１１ｃの位置は変更せず、接続口１７Ａａを下流側第２部材１７Ｃの前方に配置させる。
【００６０】
（実施形態３）
実施形態１では集塵装置２０のダスト分離部である遠心分離ユニット２２が第１および第２遠心分離部２２Ａ、２２Ｂを備えたマルチサイクロン方式である場合を例示したが、ダスト分離部はこれに限定されるものではなく、例えば、第２遠心分離部２２Ｂの代わりにフィルターを用いてもよい。
この構成によれば、集塵装置側のフィルターと駆動装置側のフィルターとの二重フィルター方式を実現することができる。
【００６１】
（まとめ）
本発明の電気掃除機は、電動送風機を内部に収納した駆動装置と、塵埃を含む空気から前記塵埃を分離可能な集塵装置とを備え、
前記駆動装置は、前記集塵装置を着脱可能に装着する集塵装置装着部と、塵埃を含む空気を内部に取り込む吸引口と、前記吸引口と連通して塵埃を含む空気を前記集塵装置装着部に装着された前記集塵装置内に導く第１通風経路と、前記集塵装置装着部に装着された前記集塵装置からの塵埃が分離された空気を流通させる第２通風経路と、前記第２通風経路における気流方向の電動送風機よりも上流側に設けられたフィルターと、前記第２通風経路内を流通する塵埃が除去された空気を外部に排出する排気口とを備え、
前記電動送風機は、前記第２通風経路内に配置されており、
前記第２通風経路は、前記フィルターと前記電動送風機の気流方向の上流側端部とを接続する上流側部材を含んで構成されており、
前記上流側部材は、前記フィルターを離脱可能に取り付けるフィルター取付部と、前記フィルター取付部と一体形成されて前記電動送風機の前記上流側端部を嵌め入れる嵌入部とを有する。
【００６２】
本発明の電気掃除機は、次のように構成されてもよく、それらが適宜組み合わされてもよい。
（１）前記第２通風経路は、前記電動送風機を収納する下流側部材をさらに含んで構成されており、
前記下流側部材は、前記電動送風機を収納しかつ前記電動送風機から流出する気流を流通させる通気窓を有するケース部と、前記ケース部の内面側に設けられた通気性を有する防音シート部とを有するものであってもよい。
この構成によれば、電動送風機から流出する気流を漏れなく防音シート部に通すことができるため、集中排気構造にする必要がなく、ケース部を用いて軽量化することができる。
【００６３】
（２）前記防音シートは、可撓性を有しかつ長手方向の一端部と他端部を突き合わせるようにして筒状に巻かれて前記ケース部内に収納され、
前記ケース部は、筒状に巻かれた前記防音シートの前記一端部と前記他端部とを挟み込むリブを内面側に有するものであってもよい。
この構成によれば、防音シートの一端部と他端部をリブによってケース部の内周面側に押さえ付けて固定し、それによって防音シートとケース部との間に隙間を作らない構造とすることができる。また、リブによって、防音シートの位置決めでき、組み立てしやすくなる。
【００６４】
（３）前記駆動装置は、前記電動送風機と電気的に接続される回路基板をさらに備え、
前記下流側部材の前記ケース部は、前記電動送風機を収納しかつ複数の前記通気窓を有する枠形円筒部と、前記回路基板を収納するよう前記枠形円筒部と一体形成された基板収納部とを有し、
前記基板収納部に通気孔が設けられてもよい。
この構成によれば、電動送風機から流出した気流が、防音シート部および枠形円筒部を通った後、基板収納部内に流入して回路基板を冷却することができる。また、基板収納部を枠形円筒部と一体形成することにより、第２通風経路内に回路基板を固定する別部品が削減できる。これにより、駆動装置の部品点数および組み立て工数を低減することができる。
【００６５】
（４）前記駆動装置は床面上を前進可能に構成され、
前記嵌入部は、平面的に視て、前記駆動装置が前進する方向に対して前記電動送風機の回転軸心が斜め方向となるよう前記上流側端部を嵌め入れるように構成されてもよい。
この構成によれば、第２通風経路における電動送風機の左右一方側にスペースを設け、このスペースに他部材を配置することができる。
【００６６】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６７】
１０  駆動装置
１１ｂ  吸引口
１１ｅ1  排気口
１２  集塵装置装着部
１７ａ  第１通風経路
１７Ｂ  上流側第２部材
１７ｂ  上流側第２通風経路
１７Ｂａ  フィルター取付部
１７Ｂｂ  嵌入部
１７Ｃ  下流側第２部材
１７ｃ  下流側第２通風経路
１７Ｃａ  ケース部
１７Ｃａ11  枠形円筒部
１７Ｃａ12  基板収納部
１７Ｃａ111  通気窓
１７Ｃａ112  大型リブ
１７Ｃａ1211  通気孔
１７Ｃｂ  防音シート部
１７Ｃｂ1  一端部
１７Ｃｂ2  他端部
２０  集塵装置
３０  電動送風機
３０ａ  上流側端部
５０  フィルター
９０  回路基板
Ｐ  回転軸心
【図１】
2020005756.tif 000003
【図２】
2020005756.tif 000004
【図３】
2020005756.tif 000005
【図４】
2020005756.tif 000006
【図５】
2020005756.tif 000007
【図６】
2020005756.tif 000008
【図７】
2020005756.tif 000009
【図８】
2020005756.tif 000010
【図９】
2020005756.tif 000011